(57)【特許請求の範囲】
【請求項１】
モータと、
前記モータにより回転し、前後方向に延びるスピンドルと、
前記スピンドルにボールを介して接続されるハンマーと、
前記スピンドルに接続され、前記ハンマーの径方向外側まで延びて前記ハンマーと一体回転する壁部と、
前記壁部に保持され、径方向に移動可能であり、前記ハンマーの外周に係合可能な係合部材と、を有し、
前記係合部材が径方向内側に位置し、前記ハンマーが後退不能なドリルモードと、前記係合部材が径方向外側に位置し、前記ハンマーが後退可能なインパクトモードと、を選択可能としたことを特徴とする打撃工具。
【請求項２】
モータと、
前記モータにより回転し、前後方向に延びるスピンドルと、
前記スピンドルにボールを介して接続されるメインハンマーと、
前記メインハンマーの前方側に配置されるアンビルと、
前記メインハンマーに接続されるコイルバネと、
前記コイルバネに接続されて前記メインハンマーの径方向外側まで延びる壁部を有するサブハンマーと、を有し、
前記メインハンマーと前記サブハンマーの前記壁部とが一体回転可能に接続されており、
前記メインハンマーは、後方へ移動可能に構成されていることを特徴とする打撃工具。
【請求項３】
ハウジング内でモータによって回転するスピンドルと、そのスピンドルの前方で前記ハウジングに同軸で軸支され、ビットが装着される前端を前記ハウジングの前方へ突出させたアンビルと、前記スピンドルに外装されてコイルバネによって前記アンビルの後端と係合する前進位置へ付勢され、前記アンビルのトルクに応じて前後移動して前記アンビルと係脱し、前記スピンドルの回転を回転打撃力として前記アンビルに伝達するハンマーと、を備えた打撃工具であって、
前記ハンマーを、前記アンビルに係脱する内側のメインハンマーと、そのメインハンマーの外周を覆う周壁を備えて前記メインハンマーと別体の外側のサブハンマーとに分割して、前記サブハンマーを、前記周壁が前記メインハンマーの外周を覆った状態で前記メインハンマーの前後移動を許容する後方位置へ回転可能に配置すると共に、前記周壁を前記メインハンマーと一体回転可能に結合し、
前記メインハンマーと前記周壁との間に、前記メインハンマーの前進位置で前記メインハンマーと前記周壁とを前後方向で一体に連結する連結部材を、両者の連結位置とその連結を解除する解除位置との間で移動可能に設ける一方、
前記連結部材を、前記ハウジングの外部から前記連結位置と前記解除位置とにそれぞれ移動操作可能な切替手段を設けて、
前記切替手段によって前記連結部材を前記連結位置へ移動させることで、前記メインハンマーの後退を規制して前記アンビルを前記スピンドルと一体回転させるドリルモードを選択可能としたことを特徴とする打撃工具。
【請求項４】
前記連結部材は、前記サブハンマーの前記周壁に保持され、前記周壁の内周面から突出して前記メインハンマーの外周へ周方向に設けた嵌合溝へ嵌合する前記連結位置と、前記周壁の内周面に没入して前記嵌合溝から離間する前記解除位置との間で前記周壁の半径方向に移動可能なボールであり、前記切替手段は、前記周壁に外装されて前記周壁の外周面に摺接する小径部と前記外周面から離間する大径部とを有し、前記大径部が前記ボールの外側に位置して前記ボールの前記解除位置への移動を許容する第１のスライド位置と、前記小径部が前記ボールの外側に位置して前記ボールを前記連結位置へ押圧する第２のスライド位置との間でスライド操作可能な切替リングを含んでなることを特徴とする請求項３に記載の打撃工具。
【請求項５】
前記コイルバネを前記メインハンマーと前記サブハンマーとの間に配置して、前記サブハンマーを前記スピンドルの後端に設けた受け部に当接する前記後方位置へ付勢する一方、前記サブハンマーの後面にリング溝を凹設し、前記リング溝内に前記後面から突出する複数のボールを収容して、前記ボールを前記受け部の前面に当接させたことを特徴とする請求項３又は４に記載の打撃工具。
【発明の詳細な説明】
【技術分野】
【０００１】
本発明は、ハウジングの前方へ突出させたアンビルにハンマーを係脱させて回転打撃力を発生させるインパクトドライバ等の打撃工具に関する。
【背景技術】
【０００２】
インパクトドライバ等の打撃工具は、ハウジング内でモータによって回転するスピンドルと、そのスピンドルに外装されて両者に設けた溝に跨って嵌合するボールを介して連結され、前面に爪を突設したハンマーと、ハウジングにスピンドルと同軸で軸支され、ビットが装着される前端をハウジングの前方へ突出させ、後端にアームを放射状に形成したアンビルと、ハンマーを爪とアームとが回転方向で係合する前進位置に付勢するコイルバネとを備えている。すなわち、アンビルのトルクが高まった際には、溝内を転動するボールの案内でハンマーが後退してアームから離れ、再びコイルバネの付勢によって回転しながら前進してアームに係合する動作を繰り返すことで、アンビルに回転打撃力（インパクト）を間欠的に発生させるものである。
【０００３】
このような打撃工具は、例えば下穴にネジ止めを行うような場合に、まず電動ドリルで下穴を穿設した後、インパクトドライバ等の打撃工具でネジ止めを行うというように作業に応じて使い分けられている。従って、工具の準備や交換が必要となって作業性が低下してしまう。インパクトドライバにドリルビットを装着すれば穿孔は可能であるが、タイル等の比較的脆い被加工材であると、インパクトの発生によって破損するおそれがある。
そこで、特許文献１に示すように、スピンドルの後部に、ハンマーと同径のフランジを形成して、ハンマー及びフランジの外周に、ハンマーのみと係合する前進位置と、ハンマーとフランジとに跨って係合する後退位置とに切替操作可能な連結スリーブを設けて、連結スリーブの前進位置では、ハンマーの後退を許容してインパクトモードで使用可能とする一方、連結スリーブの後退位置では、連結スリーブを介してハンマーとスピンドルとを回転方向で連結して、ハンマーを常にスピンドルと一体回転させるドリルモードを選択可能とした打撃工具が発明されている。
【先行技術文献】
【特許文献】
【０００４】
【特許文献１】米国特許出願公開第２０１０／７５０号明細書
【発明の概要】
【発明が解決しようとする課題】
【０００５】
しかし、特許文献１に開示されるモード切替機構は、ハンマーの外周に連結スリーブをさらに外装させるため、打撃機構部が径方向に大きくなり、コンパクト化を阻害する。また、連結スリーブの追加に加えてスピンドルにフランジを設ける必要もあってコストアップにも繋がる。
【０００６】
そこで、本発明は、低コスト且つコンパクトとなる構造でドリルモードを得ることができる打撃工具を提供することを目的としたものである。
【課題を解決するための手段】
【０００７】
上記目的を達成するために、請求項１に記載の発明は、モータと、前記モータにより回転し、前後方向に延びるスピンドルと、前記スピンドルにボールを介して接続されるハンマーと、前記スピンドルに接続され、前記ハンマーの径方向外側まで延びて前記ハンマーと一体回転する壁部と、前記壁部に保持され、径方向に移動可能であり、前記ハンマーの外周に係合可能な係合部材と、を有し、前記係合部材が径方向内側に位置し、前記ハンマーが後退不能なドリルモードと、前記係合部材が径方向外側に位置し、前記ハンマーが後退可能なインパクトモードと、を選択可能としたことを特徴とするものである。
上記目的を達成するために、請求項２に記載の発明は、モータと、前記モータにより回転し、前後方向に延びるスピンドルと、前記スピンドルにボールを介して接続されるメインハンマーと、前記メインハンマーの前方側に配置されるアンビルと、前記メインハンマーに接続されるコイルバネと、前記コイルバネに接続されて前記メインハンマーの径方向外側まで延びる壁部を有するサブハンマーと、を有し、前記メインハンマーと前記サブハンマーの前記壁部とが一体回転可能に接続されており、前記メインハンマーは、後方へ移動可能に構成されていることを特徴とするものである。
上記目的を達成するために、請求項３に記載の発明は、ハンマーを、アンビルに係脱する内側のメインハンマーと、そのメインハンマーの外周を覆う周壁を備えてメインハンマーと別体の外側のサブハンマーとに分割して、サブハンマーを、周壁がメインハンマーの外周を覆った状態でメインハンマーの前後移動を許容する後方位置へ回転可能に配置すると共に、周壁をメインハンマーと一体回転可能に結合し、メインハンマーと周壁との間に、メインハンマーの前進位置でメインハンマーと周壁とを前後方向で一体に連結する連結部材を、両者の連結位置とその連結を解除する解除位置との間で移動可能に設ける一方、連結部材を、ハウジングの外部から連結位置と解除位置とにそれぞれ移動操作可能な切替手段を設けて、切替手段によって連結部材を連結位置へ移動させることで、メインハンマーの後退を規制してアンビルをスピンドルと一体回転させるドリルモードを選択可能としたことを特徴とするものである。
請求項４に記載の発明は、請求項３の構成において、連結部材は、サブハンマーの周壁に保持され、周壁の内周面から突出してメインハンマーの外周へ周方向に設けた嵌合溝へ嵌合する連結位置と、周壁の内周面に没入して嵌合溝から離間する解除位置との間で周壁の半径方向に移動可能なボールであり、切替手段は、周壁に外装されて周壁の外周面に摺接する小径部と外周面から離間する大径部とを有し、大径部がボールの外側に位置してボールの解除位置への移動を許容する第１のスライド位置と、小径部がボールの外側に位置してボールを連結位置へ押圧する第２のスライド位置との間でスライド操作可能な切替リングを含んでなることを特徴とするものである。
請求項５に記載の発明は、請求項３又は４の構成において、コイルバネをメインハンマーとサブハンマーとの間に配置して、サブハンマーをスピンドルの後端に設けた受け部に当接する後方位置へ付勢する一方、サブハンマーの後面にリング溝を凹設し、リング溝内に後面から突出する複数のボールを収容して、ボールを受け部の前面に当接させたことを特徴とするものである。
【発明の効果】
【０００８】
請求項３の発明によれば、本来のインパクトモードに加えて、インパクトが発生しないドリルモードでも使用できる。よって、工具の使い分けが不要となって作業性が良好となる。また、メインハンマーの後退を分割したサブハンマーを利用して規制することでドリルモードを得ているので、打撃機構部が径方向に大きくなることがなく、コンパクト化が維持できる上、少ない部品点数でモード切替が可能となり、コストアップも抑えられる。勿論メインハンマーと追従したサブハンマーの回転動作によって必要な回転打撃力は確保できる。
請求項４の発明によれば、請求項３の効果に加えて、メインハンマーとサブハンマーとの連結とその解除とをハウジング内のスペースでコンパクト且つ確実に行うことができる。
請求項５の発明によれば、請求項３又は４の効果に加えて、インパクトモード用のコイルバネを利用してサブハンマーを後方位置へ簡単に配置できると共に、当該コイルバネによって後方位置へ押圧されてもサブハンマーへの回転抵抗を低減してメインハンマーに追従した回転をスムーズに行わせることができる。また、サブハンマーへのスラスト荷重を軸方向へコンパクトな構成で受けることができる。
【図面の簡単な説明】
【０００９】
【図１】インパクトドライバの一部縦断面図である。
【図２】内部機構の分解斜視図である。
【図３】本体ハウジング以外のハウジングの分解斜視図である。
【図４】インパクトドライバの一部縦断面図である（インパクトモード）。
【図５】インパクトドライバの一部縦断面図である（ドリルモード）。
【発明を実施するための形態】
【００１０】
以下、本発明の実施の形態を図面に基づいて説明する。
図１に、打撃工具の一例であるインパクトドライバ１を示し、図２にその内部機構の一部を示す。このインパクトドライバ１は、左右の半割ハウジング３，３を組み付けて形成される本体ハウジング２を有し、本体ハウジング２内に、後方（図１の右側を前方とする。）からモータ４、遊星歯車減速機構６、スピンドル７がそれぞれ収容されている。また、本体ハウジング２の前部には、スピンドル７と共に打撃機構９を収容した筒状のインナーハウジング８が組み付けられて、スピンドル７の前方同軸上に配置されたアンビル１０が、インナーハウジング８及びその前端に固定される前ハウジング１２に軸支されて前方へ突出している。１３は、前ハウジング１２の前端に嵌着されたゴム製リング状のバンパである。本体ハウジング２の下方には、ハンドル１４が下向きに延設され、ハンドル１４内には、トリガー１６を備えたスイッチ１５が収容されている。
【００１１】
遊星歯車減速機構６は、本体ハウジング２内に組み付けられる筒状のギヤハウジング１７内に収容されている。ギヤハウジング１７の後部には、モータ４の出力軸５に嵌着したピニオン１８が軸支されてギヤハウジング１７内に突出している。遊星歯車減速機構６は、第１インターナルギヤ１９内で遊星運動する一段目の遊星歯車２１，２１・・を保持する第１キャリア２０と、第２インターナルギヤ２２内で遊星運動する二段目の遊星歯車２４，２４・・を保持する第２キャリア２３とを備え、ピニオン１８に一段目の遊星歯車２１，２１・・を噛合させている。また、第２キャリア２３は、スピンドル７の後端へ一体に形成されてインナーハウジング８内でボールベアリング２５に軸支されている。
【００１２】
ここで、第１インターナルギヤ１９は、内周前側に、周方向へ所定間隔で複数の内歯２６，２６・・を備える一方、第２インターナルギヤ２２は、外周前側にリング状の係合溝２７を、外周後側に、周方向へ所定間隔で突設した複数の外歯２８，２８・・をそれぞれ備えている。また、第２インターナルギヤ２２は、第２キャリア２３の後方へ一体に連結したスパーギヤ２９と二段目の遊星歯車２４との双方に噛合する前進位置と、第１インターナルギヤ１９の内歯２６に外歯２８を係合させて二段目の遊星歯車２４のみに噛合する後退位置との間でスライド可能に設けられている。
【００１３】
このスパーギヤ２９は、遊星歯車２４を支持する支持ピン３０に貫通されて第２キャリア２３と遊星歯車２４との間に位置する別体のギヤで、第２キャリア２３の外径は、歯先を含むスパーギヤ２９の外径よりも小径となっている。ここで、スパーギヤ２９が第２キャリア２３と一体であれば、ボールベアリング２５を組み付けるために第２キャリア２３の外径をスパーギヤ２９の外径よりも大きくして大径のボールベアリング２５を用いる必要がある。しかし、スパーギヤ２９を第２キャリア２３と別体としたことで、ボールベアリング２５を組み付けた後にスパーギヤ２９を組み付けることができ、第２キャリア２３の外径及びボールベアリング２５の内径をスパーギヤ２９より大きくする必要がなくなるのである。このように第２キャリア２３及びボールベアリング２５が径方向に大きくならないので、ギヤハウジング１７やインナーハウジング８、ひいては本体ハウジング２の径方向でのコンパクト化に寄与できる。３６は、ギヤハウジング１７内でボールベアリング２５を保持する保持リングである。
【００１４】
第２インターナルギヤ２２の外側には、ギヤハウジング１７及びインナーハウジング８の内周面に沿って前後へスライド可能なスライドリング３１が設けられて、スライドリング３１の外側から半径方向に貫通する係合ピン３２が、第２インターナルギヤ２２の係合溝２７と係合している。スライドリング３１の上部外周には、ギヤハウジング１７の上部に突出する突起３３が設けられて、この突起３３が、本体ハウジング２に前後へスライド可能に設けたスライドボタン３４に、前後のコイルバネ３５，３５を介して保持されている。
よって、スライドボタン３４の前後へのスライド操作により、スライドリング３１を介して第２インターナルギヤ２２の位置を前後へ切替可能となる。すなわち、図１及び図４に示す第２インターナルギヤ２２の前進位置では、第２インターナルギヤ２２がスパーギヤ２９と一体回転することで遊星歯車２４の遊星運動をキャンセルした高速モードとなり、図５に示す第２インターナルギヤ２２の後退位置では、第２インターナルギヤ２２が固定されて遊星歯車２４を遊星運動させる低速モードとなる。
【００１５】
そして、打撃機構９は、アンビル１０の後端に設けた一対のアーム１１，１１にハンマーを係脱させる構造であるが、ここでのハンマーは、スピンドル７の前端に外装され、アーム１１，１１に係合する一対の爪４１，４１を前面に突設した筒状のメインハンマー４０と、そのメインハンマー４０の後方でスピンドル７に同軸で遊挿されて前方が開口する有底筒状で、周壁４３がメインハンマー４０に後方から外装されるサブハンマー４２とに分割されている。つまり、メインハンマー４０とサブハンマー４２の周壁４３とを合わせた径が従前のハンマーの外径と等しくなっている。
まず、メインハンマー４０は、その内周面に前端から後方へ向けて凹設されて後端が先細りとなる山形溝４４，４４と、スピンドル７の外周面で先端を前方に向けて凹設されたＶ字溝４５，４５とに跨って嵌合するボール４６，４６を介してスピンドル７と連結されている。
【００１６】
一方、メインハンマー４０とサブハンマー４２との間でスピンドル７には、コイルバネ４７が外装されて、メインハンマー４０を爪４１がアーム１１に係合する前進位置へ付勢する一方、サブハンマー４２を後方へ付勢している。サブハンマー４２と第２キャリア２３との間でスピンドル７には、受け部としてのワッシャー４８が外装され、サブハンマー４２の後面に凹設されたリング溝４９には、後面から突出する複数のボール５０，５０・・が収容されてスラスト軸受を形成している。よって、コイルバネ４７によって後方へ付勢されるサブハンマー４２は、ボール５０がワッシャー４８に当接する後方位置へ回転可能な状態で押圧されることになる。
【００１７】
また、サブハンマー４２の周壁４３の内周面には、前端から軸方向で後方へ伸びる複数の案内溝５１，５１・・が、周方向へ等間隔をおいて形成されており、メインハンマー４０の外周には、案内溝５１よりも短い複数の長円溝５２，５２・・が、周方向に案内溝５１と同じ間隔で形成されて、案内溝５１と長円溝５２とに跨って円柱状の連結ピン５３，５３・・が嵌合している。よって、メインハンマー４０とサブハンマー４２とは、連結ピン５３により、軸方向への移動はそれぞれ許容された状態で、回転方向へは一体に連結される。
さらに、メインハンマー４０の外周面で後端際には、周方向にリング状の嵌合溝５４が凹設される一方、サブハンマー４２の周壁４３において、案内溝５１の後端位置で案内溝５１，５１の間には、半径方向に貫通する複数の円形孔５５，５５・・が形成されて、その円形孔５５に連結部材としてのボール５６がそれぞれ嵌合している。
【００１８】
そして、サブハンマー４２の周壁４３には、切替リング５７が外装されている。この切替リング５７は、後側が周壁４３の外周面に摺接する小径部５８、前側が周壁４３の外周面から半径方向へ離間する大径部５９となる二段径を有し、小径部５８の外周面には、リング状の凹溝６０が形成されている。また、切替リング５７は、インナーハウジング８の内周に設けた前側段部６１と、周壁４３の後端外周に設けた後側段部６２との間でのみ前後へスライド可能となっている。
一方、インナーハウジング８には、図３に示すように、本体ハウジング２の前方に位置する操作スリーブ６４を前端外周へ一体回転可能に装着した連結スリーブ６３が外装されている。連結スリーブ６３の外周で点対称位置には、前後方向の長円となる一対の貫通孔６５，６５が形成され、各貫通孔６５に沿った外周面には、貫通孔６５より一回り大きい四角形状の案内凹部６６が形成されている。
【００１９】
この貫通孔６５に、外側端部が案内凹部６６に嵌合する正方形状のフランジ部６８に形成される筒状のガイドホルダ６７が貫通して、半径方向で連結スリーブ６３の軸心側へ突出すると共に、案内凹部６６によるフランジ部６８の案内により、前後方向へ移動可能となっている。インナーハウジング８には、ガイドホルダ６７が貫通し、貫通孔６５の前端に対応する位置で周方向に形成される前側溝７０と、貫通孔６５の後端に対応する位置で周方向に形成される後側溝７１と、前側溝７０と後側溝７１とを連通させる傾斜溝７２とからなるガイド溝６９が形成されている。ガイドホルダ６７には、インナーハウジング８の軸心側からガイドピン７３が差し込まれて、ガイドピン７３の頭部７４を切替リング５７の凹溝６０に嵌合させている。
【００２０】
よって、操作スリーブ６４を回転操作して連結スリーブ６３を前方から見て右回転させると、ガイドホルダ６７も周方向へ右回転方向へ移動する。そして、ガイドホルダ６７がガイド溝６９内を移動して後側溝７１に達すると、ガイドホルダ６７は貫通孔６５の後端に位置する。すると、ガイドピン７３を介してガイドホルダ６７に連結される切替リング５７は、図４に示すように、大径部５９をボール５６の外側に位置させる後退位置（第１のスライド位置）となる。この後退位置でボール５６は、周壁４３の内周面に没入してメインハンマー４０の嵌合溝５４から離間する解除位置へ移動することができ、メインハンマー４０の後退を許容するインパクトモードとなる。
【００２１】
一方、操作スリーブ６４を回転操作して連結スリーブ６３を前方から見て左回転させると、ガイドホルダ６７も周方向で左回転方向へ移動する。そして、ガイドホルダ６７がガイド溝６９内を移動して前側溝７０に達すると、ガイドホルダ６７は貫通孔６５の前端に位置する。すると、切替リング５７は、図５に示すように、小径部５８をボール５６の外側に位置させる前進位置（第２のスライド位置）となる。この前進位置でボール５６は、小径部５８に押されてメインハンマー４０の嵌合溝５４に嵌合する連結位置に固定されるため、メインハンマー４０とサブハンマー４２とを前後方向で連結してメインハンマー４０の後退を規制するドリルモードとなる。この切替リング５７を含み、ガイド溝６９、貫通孔６５を備えた連結スリーブ６３、操作スリーブ６４、ガイドホルダ６７及びガイドピン７３が本発明の切替手段となる。
【００２２】
なお、アンビル１０は、後面軸心に形成した軸受孔７５に、スピンドル７の前端に突設した小径の先端部７６を嵌合させて、スピンドル７の前端を同軸で軸支している。軸受孔７５には、コイルバネ７７によって先端部７６の端面に押圧されてスラスト方向の荷重を受けるボール７８が収容されている。
さらに、前ハウジング１２から突出するアンビル１０の前端には、ビットの装着孔７９が形成されると共に、装着孔７９に挿入されたビットを抜け止め装着するために、アンビル１０に設けたボール８１（図２）を後退位置で装着孔内へ押圧するスリーブ８０等を備えたチャック機構が設けられている。
【００２３】
以上の如く構成されたインパクトドライバ１においては、まず操作スリーブ６４の回転操作によって切替リング５７を後退位置に移動させた図４のインパクトモードでの動作を説明する。ハンドル１４に設けたトリガー１６を操作してモータ４を駆動させると、出力軸５の回転が遊星歯車減速機構６を介してスピンドル７に伝わり、スピンドル７を回転させる。スピンドル７は、ボール４６を介してメインハンマー４０を回転させ、メインハンマー４０が係合するアンビル１０を回転させるため、アンビル１０の先端に装着したビットによってネジ締め等が可能となる。このとき連結ピン５３を介して回転方向に連結されるサブハンマー４２もメインハンマー４０と一体に回転する。
【００２４】
ネジ締めが進んでアンビル１０のトルクが高まると、メインハンマー４０の回転とスピンドル７の回転とにずれが生じるため、メインハンマー４０は、ボール４６がＶ字溝４５に沿って転動することで、スピンドル７に対して相対的に回転しながらコイルバネ４７の付勢に抗して後退する。このときサブハンマー４２は、メインハンマー４０の後退を許容しつつ連結ピン５３を介してメインハンマー４０と一体に回転する。
そして、メインハンマー４０の爪４１がアーム１１から外れると、メインハンマー４０はコイルバネ４７の付勢により、ボール４６がＶ字溝４５の先端に向けて転動することで回転しながら前進する。よって、メインハンマー４０の爪４１が再びアーム１１に係合して回転打撃力（インパクト）を発生させる。このアンビル１０への係脱を繰り返すことで増し締めが行われる。
【００２５】
このとき、サブハンマー４２もメインハンマー４０に追従して回転するため、両ハンマー４０，４２を合わせた質量でアンビル１０へ係脱することになる。従って、ハンマーを分割しても回転打撃力が低下することはない。また、回転時には後面のボール５０がワッシャー４８の前面を転動することで回転抵抗が軽減されるため、メインハンマー４０の前後動に伴ってコイルバネ４７が伸縮してもサブハンマー４２はスムーズに回転できる。さらに、メインハンマー４０がインパクト発生時に前後動を繰り返しても、サブハンマー４２は後方位置を維持して前後へ移動することはないため、インパクト発生時の振動は抑えられる。
【００２６】
一方、操作スリーブ６４の回転操作によって切替リング５７を前進位置に移動させた図５のドリルモードでは、トリガー１６を操作してモータ４を駆動させると、スピンドル７の回転に伴ってメインハンマー４０及びサブハンマー４２が回転し、アンビル１０を一体に回転させる。
そして、アンビル１０のトルクが高まっても、メインハンマー４０はボール５６によって後退が規制されるため、メインハンマー４０はアンビル１０に対して係脱動作を行わない。よって、インパクトは発生せず、アンビル１０はスピンドル７と一体回転することになる。
【００２７】
このように、上記形態のインパクトドライバ１は、ハンマーを、アンビル１０に係脱する内側のメインハンマー４０と、そのメインハンマー４０の外周を覆う周壁４３を備えてメインハンマー４０と別体の外側のサブハンマー４２とに分割して、サブハンマー４２を、周壁４３がメインハンマー４０の外周を覆った状態でメインハンマー４０の前後移動を許容する後方位置へ回転可能に配置すると共に、周壁４３をメインハンマー４０と一体回転可能に結合し、メインハンマー４０と周壁４３との間に、メインハンマー４０の前進位置でメインハンマー４０と周壁４３とを前後方向で一体に連結する連結部材（ボール５６）を、両者の連結位置とその連結を解除する解除位置との間で移動可能に設ける一方、連結部材を、本体ハウジング２の外部から連結位置と解除位置とにそれぞれ移動操作可能な切替手段を設けて、切替手段によって連結部材を連結位置へ移動させることで、メインハンマー４０の後退を規制してアンビル１０をスピンドル７と一体回転させるドリルモードを選択可能としている。
【００２８】
この構成の採用により、本来のインパクトモードに加えて、インパクトが発生しないドリルモードでも使用できる。よって、工具の使い分けが不要となって作業性が良好となる。また、メインハンマー４０の後退を分割したサブハンマー４２を利用して規制することでドリルモードを得ているので、打撃機構部が径方向に大きくなることがなく、コンパクト化が維持できる上、少ない部品点数でモード切替が可能となり、コストアップも抑えられる。さらに、サブハンマー４２はメインハンマー４０と追従した回転動作のみを行い、前後移動しないため、インパクトモードでの振動の発生も低減可能となる。勿論メインハンマー４０と追従したサブハンマー４２の回転動作によって必要な回転打撃力は確保できる。
【００２９】
特にここでは、連結部材を、サブハンマー４２の周壁４３に保持され、周壁４３の内周面から突出してメインハンマー４０の外周へ周方向に設けた嵌合溝５４へ嵌合する連結位置と、周壁４３の内周面に没入して嵌合溝５４から離間する解除位置との間で周壁４３の半径方向に移動可能なボール５６とし、切替手段を、周壁４３に外装されて周壁４３の外周面に摺接する小径部５８と外周面から離間する大径部５９とを有し、大径部５９がボール５６の外側に位置してボール５６の解除位置への移動を許容する第１のスライド位置と、小径部５８がボール５６の外側に位置してボール５６を連結位置へ押圧する第２のスライド位置との間でスライド操作可能な切替リング５７を含む構成としたことで、メインハンマー４０とサブハンマー４２との連結とその解除とをインナーハウジング８内のスペースでコンパクト且つ確実に行うことができる。
【００３０】
また、コイルバネ４７をメインハンマー４０とサブハンマー４２との間に配置して、サブハンマー４２をスピンドル７の後端に設けたワッシャー４８に当接する後方位置へ付勢する一方、サブハンマー４２の後面にリング溝４９を凹設し、リング溝４９内に後面から突出する複数のボール５０を収容して、ボール５０をワッシャー４８の前面に当接させるようにしているので、インパクトモード用のコイルバネ４７を利用してサブハンマー４２を後方位置へ簡単に配置できると共に、当該コイルバネ４７によって後方位置へ押圧されてもサブハンマー４２への回転抵抗を低減してメインハンマー４０に追従した回転をスムーズに行わせることができる。また、サブハンマー４２へのスラスト荷重を軸方向へコンパクトな構成で受けることができる。
【００３１】
なお、連結部材としては、ボールに限らず、周壁に半径方向へ遊挿され、前後端を半球状としたピンを用いる等、他の形態の部材も採用できる。数の増減も差し支えない。
また、切替リングは、上記形態では小径部が後方、大径部が前方となって後退位置がインパクトモードとなるようにしているが、切替リングの向きを逆にして、前進位置がインパクトモードとなるようにしてもよい。
さらに、切替リング以外の切替手段も、ガイドホルダとガイドピンとを一体にしたり、ガイド溝を設けて連結スリーブの回転を切替リングの前後動に変換する構造でなく、速度切替のように切替リングに連結したスライドボタンを前後動させて切替リングのスライド位置を得るようにしたり等、適宜変更可能である。
【００３２】
一方、メインハンマーとサブハンマーとの回転方向の結合も、上記形態の連結ピンを用いた構造に限らず、キー結合やスプライン結合を採用したりしてもよい。サブハンマーの後面でのスラスト軸受も、ワッシャーを省略したり、ボールに代えてニードルを採用したりすることもできる。
また、インパクトモード用のコイルバネを用いて有底筒状としたサブハンマーを後方位置へ付勢する構造に限らず、単純にスリーブ状のサブハンマーをメインハンマーの後方位置で回転可能に保持させるようにしても差し支えない。
【００３３】
その他、例えばハウジングについては、インナーハウジングがないものや、インナーハウジングや前ハウジングもなく、本体ハウジングの前方に打撃機構を収容したハンマーケースが結合されるものでもよい。また、遊星歯車減速機構についても、三段以上の速度切替が可能なものや、速度切替機構がないもの等、形態は適宜変更可能である。勿論インパクトドライバ以外に、アングルインパクトドライバやインパクトレンチ等の他の打撃工具であっても本発明は採用によるドリルモードの付加は可能である。
【符号の説明】
【００３４】
１・・インパクトドライバ、２・・本体ハウジング、４・・モータ、５・・出力軸、６・・遊星歯車減速機構、７・・スピンドル、８・・インナーハウジング、９・・打撃機構、１０・・アンビル、１１・・アーム、１２・・前ハウジング、１７・・ギヤハウジング、１９・・第１インターナルギヤ、２０・・第１キャリア、２１，２４・・遊星歯車、２２・・第２インターナルギヤ、２３・・第２キャリア、２５・・ボールベアリング、２９・・スパーギヤ、３０・・支持ピン、３１・・スライドリング、３４・・スライドボタン、４０・・メインハンマー、４１・・爪、４２・・サブハンマー、４３・・周壁、４７・・コイルバネ、４８・・ワッシャー、４９・・リング溝、５０，５６・・ボール、５３・・連結ピン、５４・・嵌合溝、５５・・円形孔、５７・・切替リング、５８・・小径部、５９・・大径部、６３・・連結スリーブ、６４・・操作スリーブ、６５・・貫通孔、６７・・ガイドホルダ、６９・・ガイド溝、７３・・ガイドピン。
【図１】
0005468570.tif 000002
【図２】
0005468570.tif 000003
【図３】
0005468570.tif 000004
【図４】
0005468570.tif 000005
【図５】
0005468570.tif 000006